(57)【特許請求の範囲】
【請求項１】
１次巻線、２次巻線及び帰還巻線を持つトランスと、
自己と直列に接続される該１次巻線を介して主ＤＣ電源と接続されるスイッチング素子と、該スイッチング素子を介して流れる電流及び該帰還巻線の誘導電圧に基づいて、該スイッチング素子をオン及びオフするための制御信号を該スイッチング素子の制御端子に供給するタイミング回路とを含む発振回路と、
該２次巻線に誘導される電圧を整流及び平滑して出力電圧を発生する出力回路と
から構成されるＲＣＣを備えるスイッチング電源装置であって、
該スイッチング素子と直列に接続されて該スイッチング素子を流れる電流を検出する電流検出器と、自己の制御端子が該スイッチング素子と該電流検出器との間に接続され該スイッチング素子の制御端子から該制御信号の一部を引き抜くことのできる能動素子とを含む引抜回路と、
基準電圧を変化させてオン／オフ時間制御電圧を生成し、該オン／オフ時間制御電圧を該能動素子の制御端子に印加する制御信号生成回路と
を更に備え、
該能動素子は、該オン／オフ時間制御電圧が該能動素子の能動領域において減少又は増大される場合には、それぞれ、該スイッチング素子のオン時間を固定しながら該スイッチング素子のオフ時間を減少又は増大するように、該制御信号を引き抜きくように動作し、
該タイミング回路の要素は、該オン／オフ時間制御電圧が該能動素子の遮断領域において減少又は増大される場合には、それぞれ、該スイッチング素子のオフ時間を固定しながら該スイッチング素子のオン時間を増大又は減少するように、該制御信号を引き抜くように動作する
スイッチング電源装置。
【請求項２】
該出力回路は、正端子が該２次巻線の一端と接続される平滑キャパシタと、アノード及びカソードがそれぞれ該キャパシタの負端子及び該２次巻線の他端と接続される整流ダイオードとを備え、
該制御信号生成回路は、少なくとも該キャパシタの正端子からの電圧を安定させて前記基準電圧を生成する基準電圧回路と、差動増幅器とを備え、
該増幅器の一の入力端子には該キャパシタの負端子からの電圧が供給され、
該増幅器の別の入力端子には、インピーダンスが可変であるインピーダンス素子を含む直列回路で該基準電圧を分圧して得られる電圧が供給され、
該増幅器の出力電圧が前記オン／オフ時間制御電圧として該能動素子の制御端子に印加される
請求項１記載のスイッチング電源装置。
【請求項３】
該直列回路は、互いに直列に接続される固定抵抗及び該インピーダンス素子からなり、該インピーダンス素子は可変抵抗である請求項２記載のスイッチング電源装置。
【請求項４】
該直列回路は、互いに直列に接続される固定抵抗及び該インピーダンス素子からなり、該インピーダンス素子はサーミスタである請求項２記載のスイッチング電源装置。
【請求項５】
比較器を持つ停止回路を更に備え、
該比較器の一の入力端子には、該直列回路で該基準電圧を分圧して得られる該電圧が供給され、
該比較器の別の入力端子にはしきい電圧が供給され、
該比較器は、該比較器の一の入力端子に供給される電圧が該しきい電圧を超えるか又は下回ったときに、該能動素子をオンさせて該スイッチング素子の制御端子から該制御信号の全部を引き抜く
請求項２記載のスイッチング電源装置。
【発明の詳細な説明】
【技術分野】
【０００１】
本発明は、一般にスイッチング電源装置、より詳細には発振周波数範囲が拡がるのを抑制しながら、ＲＣＣの発振周波数を決めるスイッチング素子のオン及びオフ時間を調整することのできるＲＣＣ(Ringing Choke Converter) 型スイッチング電源装置に関するものである。
【背景技術】
【０００２】
１９９６年１１月１日発行の日本国特許出願公開番号Ｈ０８−２８９５４２は、負荷変動に応じてもたらされる広い発振周波数範囲を狭めることのできるＲＣＣ型スイッチング電源装置を開示する。この電源装置には、ＲＣＣを構成するスイッチング素子及びトランス等に加えて、検出回路及び制御回路が具備される。検出回路は、ＲＣＣの出力電圧を検出する。制御回路は、検出回路からの信号に基づいて、ＲＣＣの出力電圧を安定させるように該スイッチング素子のオン時間を決める。また、制御回路は、ＲＣＣの出力電圧が高いほど、該スイッチング素子の最少オフ時間を長くする。つまり、制御回路は、オン時間設定回路及びオフ時間設定回路を含む。【０００３】
この電源装置では、負荷インピーダンスが一定である場合に、ＲＣＣの出力から得られる信号を変化させることにより、該スイッチング素子のオン及びオフ時間を調整することも可能であるが、オン時間設定回路及びオフ時間設定回路が必要である。
【発明の開示】
【０００４】
従って、本発明の目的は、発振周波数範囲が拡がるのを抑制しながら、ＲＣＣの発振周波数を決めるスイッチング素子のオン及びオフ時間を、それら時間を個別に制御するための従来の構成に比べて簡単な構成を通じて調整することにある。
【０００５】
本発明のスイッチング電源装置は、ＲＣＣを備えるスイッチング電源装置であり、引抜回路及び制御信号生成回路を更に備える。ＲＣＣは、トランス、発振回路及び出力回路から構成される。トランスは、１次巻線、２次巻線及び帰還巻線を持つ。発振回路は、スイッチング素子及び発振回路を含む。スイッチング素子は、該スイッチング素子と直列に接続される１次巻線を介して主ＤＣ電源と接続される。タイミング回路は、スイッチング素子を介して流れる電流及び帰還巻線の誘導電圧に基づいて、スイッチング素子をオン及びオフするための制御信号をスイッチング素子の制御端子に供給する。出力回路は、２次巻線に誘導される電圧を整流及び平滑して出力電圧を発生する。引抜回路は、電流検出器及び能動素子を含む。電流検出器は、スイッチング素子と直列に接続されてスイッチング素子を流れる電流を検出する。能動素子は、該能動素子の制御端子がスイッチング素子と電流検出器との間に接続され、スイッチング素子の制御端子から制御信号の一部を引き抜くことができる。制御信号生成回路は、基準電圧を変化させてオン／オフ時間制御電圧を生成し、オン／オフ時間制御電圧を能動素子の制御端子に印加する。オン／オフ時間制御電圧が能動素子の能動領域において減少又は増大される場合には、能動素子は、それぞれ、スイッチング素子のオン時間を固定しながら、スイッチング素子のオフ時間を減少又は増大するように、制御信号を引き抜く。オン／オフ時間制御電圧が能動素子の遮断領域において減少又は増大される場合には、タイミング回路の要素は、それぞれ、スイッチング素子のオフ時間を固定しながら、スイッチング素子のオン時間を増大又は減少するように、制御信号を引き抜く。
【０００６】
この発明では、オン／オフ時間制御電圧が能動素子の能動領域において減少又は増大される場合には、能動素子が、それぞれ、スイッチング素子のオン時間を固定しながら、スイッチング素子のオフ時間を減少又は増大する。また、オン／オフ時間制御電圧が能動素子の遮断領域において減少又は増大される場合には、能動素子又はタイミング回路の要素が、それぞれ、スイッチング素子のオフ時間を固定しながら、スイッチング素子のオン時間を増大又は減少する。その結果、発振周波数範囲が拡がるのを抑制しながら、スイッチング素子のオン及びオフ時間を、それら時間を個別に制御するための従来の構成に比べて簡単な構成を通じて調整することができる。
【０００７】
望ましくは、出力回路は、平滑キャパシタ及び整流ダイオードを含み、制御信号生成回路は、基準電圧回路及び差動増幅器を含む。平滑キャパシタの正端子は、２次巻線の一端と接続される。整流ダイオードのアノード及びカソードは、それぞれキャパシタの負端子及び２次巻線の他端と接続される。基準電圧回路は、少なくとも該キャパシタの正端子からの電圧を安定させて前記基準電圧を生成する。差動増幅器の一の入力端子には該キャパシタの負端子からの電圧が供給される。該増幅器の別の入力端子には、インピーダンスが可変であるインピーダンス素子を含む直列回路で基準電圧を分圧して得られる電圧が供給される。該増幅器の出力電圧は、前記オン／オフ時間制御電圧として能動素子の制御端子に印加される。
【０００８】
一実施形態において、直列回路は、互いに直列に接続される固定抵抗及びインピーダンス素子からなる。インピーダンス素子は可変抵抗である。一代替実施形態において、インピーダンス素子はサーミスタである。
【０００９】
一の強化された実施形態において、スイッチング電源装置は、比較器を持つ停止回路を更に備える。比較器の一の入力端子には、直列回路で基準電圧を分圧して得られる電圧が供給される。比較器の別の入力端子にはしきい電圧が供給される。比較器は、比較器の一の入力端子に供給される電圧がしきい電圧を超えるか又は下回ったときに、能動素子をオンさせてスイッチング素子の制御端子から制御信号の全部を引き抜く。この構成では、環境（例えば周囲温度）の変化に基づいてＲＣＣの自励発振を停止させることができる。
【図面の簡単な説明】
【００１０】
本発明の好ましい実施形態をさらに詳細に記述する。本発明の他の特徴および利点は、以下の詳細な記述および添付図面に関連して一層良く理解されるものである。
【図１】本発明の第１実施形態によるスイッチング電源装置の回路図である。
【図２Ａ】該スイッチング電源装置の動作説明図である。
【図２Ｂ】該スイッチング電源装置の動作説明図である。
【図３】本発明の第２実施形態によるスイッチング電源装置の回路図である。
【図４】該スイッチング電源装置の動作説明図である。
【図５】一の強化された実施形態の回路図である。
【図６】該実施形態の動作説明図である。
【発明を実施するための最良の形態】
【００１１】
図１は本発明による第１実施形態、即ちＲＣＣ型スイッチング電源装置１を示す。例えば、電源装置１は、トランス１０、発振回路１１、出力回路１２、引抜回路１４及び制御信号生成回路１５を備え、静電霧化器等の各種装置に使用される。トランス１０、発振回路１１及び出力回路１２は、ＲＣＣ(Ringing Choke Converter) を構成する。【００１２】
このＲＣＣは、主ＤＣ電源１８と接続され、これは例えば電池又はＡＣ電源を整流及び平滑する回路から構成される。トランス１０は、１次巻線１０１、２次巻線１０２及び帰還巻線１０３を持つ。【００１３】
発振回路１１はスイッチング素子１１０（例えばＮ型ＭＯＳＦＥＴ）を含み、これは素子１１０と直列に接続される１次巻線１０１を介して電源１８と接続される。この回路１１は、素子１１０を介して流れる電流及び帰還巻線１０３の誘導電圧に基づいて、素子１１０をオン及びオフするための制御信号を素子１１０の制御端子に供給するように構成される。【００１４】
図１の例では、回路１１は、該スイッチング素子１１０と；始動回路を構成する抵抗１１１〜１１３と；ＲＣ回路を構成する抵抗１１４及びキャパシタ１１５と；ターンオフ回路を構成するＮＰＮ型トランジスタ１１６及び抵抗１１７とを備える。また、抵抗１１２〜１１４及び１１７、キャパシタ１１５及びトランジスタ１１６は、タイミング回路を構成する。なお、このタイミング回路に限らず、従来の各種発振回路（タイミング回路）が本発明の発振回路に適用可能である。素子１１０のドレイン端子は、１次巻線１０１を介して電源１８の正端子と接続され、そのソース端子は、抵抗１１１を介して電源１８の負端子と接続される。抵抗１１２は、電源１８の正端子と素子１１０のゲート端子（制御端子）との間に接続され、抵抗１１３は、該ゲート端子と、素子１１０のソース端子及び抵抗１１１の結合点との間に接続される。また、抵抗１１１は、素子１１０を介して流れる電流を検出する電流検出器（例えば低抵抗）として機能する。抵抗１１４の一端はキャパシタ１１５を介して素子１１０のゲート端子と接続され、その他端は帰還巻線１０３を介して電源１８の負端子と接続される。これら抵抗１１４及びキャパシタ１１５は、ＲＣ時定数により帰還巻線１０３に誘導される電圧の立上り時間を遅くする機能を持つ。【００１５】
出力回路１２は、２次巻線１０２に誘導される電圧を整流及び平滑して出力電圧（例えば高電圧）を生成し、該出力電圧を負荷１９に供給するように構成される。例えば、回路１２は、整流ダイオード１２０及び平滑キャパシタ１２１から構成される。キャパシタ１２１の正端子は巻線１０２の一端と接続され、ダイオード１２０のアノード及びカソードは、それぞれ、キャパシタ１２１の負端子と巻線１０２の他端とに接続される。【００１６】
引抜回路１４は、スイッチング素子１１０のゲート端子（制御端子）から該制御信号の少なくとも一部を引き抜くための能動素子１４０を含む。例えば、回路１４は、能動素子１４０（例えばＮＰＮ型トランジスタ）及び抵抗１４１から構成される。素子１４０のコレクタ及びエミッタは、それぞれ、素子１１０のゲート端子及び電源１８の負端子と接続される。抵抗１４１は、素子１４０のベース端子（制御端子）と素子１１０及び抵抗１１１の結合点との間に接続される。【００１７】
制御信号生成回路１５は、基準電圧を変化させてオン／オフ時間制御電圧Ｖ15を生成し、電圧Ｖ15を素子１５０のベース端子に印加するように構成される。例えば、回路１５は、ツェナー・ダイオード１５０、演算増幅器１５１、抵抗１５２〜１５５及びインピーダンス素子１５６から構成される。ダイオード１５０のカソード及びアノードは、それぞれキャパシタ１２１の正端子と電源１８の負端子との間に接続され、ダイオード１５０は、基準電圧回路として、キャパシタ１２１の正端子からの電圧を安定させて該基準電圧（ツェナー電圧）を生成する。【００１８】
演算増幅器１５１は、ＤＣ電源回路（図示しない）から供給される電圧Ｖccによって動作する。抵抗１５２は、増幅器１５１の反転入力端子とキャパシタ１２１の負端子との間に接続される。抵抗１５３は、増幅器１５１の反転入力端子と出力端子との間に接続される。抵抗１５４は、増幅器１５１の出力端子と素子１４０のベースとの間に接続される。これらの増幅器１５１及び抵抗１５２〜１５４は、差動増幅器を構成する。この差動増幅器の反転入力端子には、キャパシタ１２１の負端子からの電圧が供給される。差動増幅器の非反転入力端子には、抵抗１５５及びインピーダンス素子１５６の直列回路で該基準電圧を分圧して得られる電圧が供給される。第１実施形態では、素子１５６は、インピーダンス、即ち抵抗値が可変である可変抵抗である。差動増幅器の出力電圧は、オン／オフ時間制御電圧Ｖ15として素子１４０のベースに印加される。【００１９】
それ故に、電圧Ｖ15が能動素子１４０の能動領域において減少又は増大される場合には、素子１４０は、それぞれ、素子１１０のオン時間を固定しながら素子１１０のオフ時間を減少又は増大するように、該制御信号を引き抜くように動作する。また、電圧Ｖ15が素子１４０の遮断領域において減少又は増大される場合には、前記タイミング回路の要素としてのトランジスタ１１６が、それぞれ、素子１１０のオフ時間を固定しながら素子１１０のオン時間を増大又は減少するように、該制御信号を引き抜くように動作する。なお、これに限らず、本発明のタイミング回路の要素は、例えば、従来のＲＣＣに使用され、そのスイッチング素子をオフするためのツェナー・ダイオード等でもよい。【００２０】
次に電源装置１の基本動作、即ちＲＣＣの自励発振動作を説明する。ＲＣＣが、例えば電源スイッチ（図示しない）を介して主ＤＣ電源１８と接続されると、電源１８がＤＣ電圧を抵抗１１１〜１１３に印加して、抵抗１１３及び１１１（主として抵抗１１３）の電圧が上昇する。この電圧がスイッチング素子１１０のターンオン電圧に達すると、素子１１０がオンされる結果、電流が増大しながら１次巻線１０１を流れる。その増大電流は、抵抗１１１に流れ、また抵抗１１７にも流れることができるので、素子１１０はトランジスタ１１６を通じてオフ可能である。トランジスタ１１６が起動される（例えばオンされる）と、トランジスタ１１６は、キャパシタ１１５の電荷を引き抜いてＲＣ回路を初期化する。また、トランジスタ１１６は素子１１０をオフする。素子１１０がオフされると、２次巻線１０２が電圧を発生する。出力回路１２は、巻線１０２の電圧を整流及び平滑して出力電圧を生成し、該出力電圧を負荷１９に供給する。続いて、巻線１０２がごく小さな残留エネルギーを帰還巻線１０３にバックスイングする結果、巻線１０３が電圧を発生する。巻線１０３の電圧は、ＲＣ回路を介して素子１１０のゲート端子に印加される。該ゲート端子に印加される電圧が素子１１０のターンオン電圧に達すると、素子１１０がオンされる。その後、同様の動作が繰り返され、素子１１０の基本的なオン及びオフ時間が該自励発振動作によって定められる。【００２１】
図２Ａ及び２Ｂを参照して該自励発振動作における電源装置１の特徴的な動作を説明する。図２Ａ及び２Ｂの期間Ｔ１において、使用者がインピーダンス素子１５６の抵抗値を低減させたとき、制御信号生成回路１５のオン／オフ時間制御電圧Ｖ15が能動素子１４０の能動領域において低減される。この場合、素子１１０のゲート端子に供給される制御信号の一部が、素子１４０により電圧Ｖ15のレベルに応じて引き抜かれる。例えば、電圧Ｖ15が時点ｔ１１のレベルから時点ｔ１２のレベルに低減されるとき、素子１１０が時点ｔ１２の場合に自励発振を通じてオンされるタイミングは、時点ｔ１１の場合のそれよりも早められる。なぜなら、素子１４０が、素子１１０のゲート端子に供給される制御信号からより少ない信号成分（図２Ｂの“トランジスタ（即ち素子１４０）のコレクタ電流”参照）を引き抜くからである。従って、電圧Ｖ15が素子１４０の能動領域において低減される場合には、素子１１０のオン・タイミングが早められる結果、素子１１０のオフ時間が低減される。この場合、素子１１０のオン時間は自励発振によるオン時間に保持されるので、発振周波数が増大される。また、素子１１０のオフ時間が低減されることにより、発振周波数の１周期におけるオン時間の割合が増大される結果、出力回路１２の出力電圧が増大される。【００２２】
図２Ａ及び２Ｂの期間Ｔ４において、使用者がインピーダンス素子１５６の抵抗値を増大させたとき、電圧Ｖ15が素子１４０の能動領域において増大される。例えば、電圧Ｖ15が時点ｔ４１のレベルから時点ｔ４２のレベルに増大されるとき、素子１１０が時点ｔ４２の場合に自励発振を通じてオンされるタイミングは、時点ｔ４１の場合のそれよりも遅延される。なぜなら、素子１４０が、素子１１０のゲート端子に供給される制御信号からより多くの信号成分を引き抜くからである。従って、電圧Ｖ15が素子１４０の能動領域において増大される場合には、素子１１０のオン・タイミングが遅延される結果、素子１１０のオフ時間が増大される。この場合、素子１１０のオン時間は自励発振によるオン時間に保持されるので、発振周波数が低減される。また、素子１１０のオフ時間が増大されることにより、発振周波数の１周期におけるオン時間の割合が低減される結果、出力回路１２の出力電圧が低減される。【００２３】
図２Ａ及び２Ｂの期間Ｔ２において、使用者がインピーダンス素子１５６の抵抗値を低減させたとき、電圧Ｖ15が能動素子１４０の遮断領域において低減される。この場合、素子１１０がオフであるときでも、回路１５がバイアス電圧を抵抗１１１に印加するので、トランジスタ１１６のオンされるタイミングが、回路１５を持たない場合と比べて早められる。例えば、電圧Ｖ15が時点ｔ２１のレベルから時点ｔ２２のレベルに低減されるとき、トランジスタ１１６が時点ｔ２２の場合に自励発振を通じてオンされるタイミングは、時点ｔ２１の場合のそれよりも遅延される。従って、電圧Ｖ15が素子１４０の遮断領域において低減される場合には、トランジスタ１１６のオン・タイミングが遅延されて、素子１１０のオフ・タイミングが遅延される結果、素子１１０のオン時間が増大される。この場合、素子１１０のオフ時間は自励発振によるオフ時間に保持されるので、発振周波数が低減される。また、素子１１０のオン時間が増大されることにより、発振周波数の１周期におけるオン時間の割合が増大される結果、出力回路１２の出力電圧が増大される。【００２４】
図２Ａ及び２Ｂの期間Ｔ３において、使用者がインピーダンス素子１５６の抵抗値を増大させたとき、電圧Ｖ15が素子１４０の遮断領域において増大される。例えば、電圧Ｖ15が時点ｔ３１のレベルから時点ｔ３２のレベルに増大されるとき、トランジスタ１１６が時点ｔ３２の場合に自励発振を通じてオンされるタイミングは、時点ｔ３１の場合のそれよりも早められる。従って、電圧Ｖ15が素子１４０の遮断領域において増大される場合には、トランジスタ１１６のオン・タイミングが早められて、素子１１０のオフ・タイミングが早められる結果、素子１１０のオン時間が低減される。この場合、素子１１０のオフ時間は自励発振によるオフ時間に保持されるので、発振周波数が増大される。また、素子１１０のオン時間が低減されることにより、発振周波数の１周期におけるオン時間の割合が低減される結果、出力回路１２の出力電圧が低減される。【００２５】
従って、図２Ｂの“発振周波数”、“スイッチング素子のオン時間”及び“スイッチング素子のオフ時間”に示すように、発振周波数範囲が拡がるのを抑制しながら、素子１１０のオン及びオフ時間を、それら時間を個別に制御するための従来の構成に比べて簡単な構成を通じて調整することができる。【００２６】
図３は本発明による第２実施形態、即ちＲＣＣ型スイッチング電源装置２を示す。この電源装置２は、トランス２０、発振回路２１、出力回路２２、ＤＣ電源回路２３、引抜回路２４及び制御信号生成回路２５を備える。トランス２０、発振回路２１及び出力回路２２は、ＲＣＣを構成する。【００２７】
このＲＣＣは主ＤＣ電源２８と接続され、これは例えば電池又はＡＣ電源を整流及び平滑する回路から構成される。トランス２０は、１次巻線２０１、２次巻線２０２及び２０４、及び帰還巻線２０３を持つ。【００２８】
発振回路２１は、第１実施形態の回路１１と同様に、スイッチング素子２１０と；始動回路を構成する抵抗２１１〜２１３と；ＲＣ回路を構成する抵抗２１４及びキャパシタ２１５と；ターンオフ回路を構成するトランジスタ２１６及び抵抗２１７とを備える。回路２１は、更にスナバ回路２１８を備える。この回路２１８は、例えばキャパシタ、ダイオード及び抵抗から構成され、１次巻線２０１と並列に接続される。回路２１８は、巻線２０１に発生するサージ電圧を抑制する。【００２９】
出力回路２２は、第１実施形態の回路１２と同様に、整流ダイオード２２０及び平滑キャパシタ２２１を備え、更にキャパシタ２２１と並列に接続される抵抗２２２を備える。回路２２の出力電圧は負荷２９に供給される。【００３０】
ＤＣ電源回路２３は、２次巻線２０４に誘導される電圧を整流及び平滑してＤＣ電圧を生成し、該ＤＣ電圧を制御信号生成回路２５に供給するように構成される。例えば、回路２３は、整流ダイオード２３０、平滑キャパシタ２３１及び抵抗２３２から構成される。キャパシタ２３１の正端子は巻線２０４の一端と接続され、ダイオード２３０のアノード及びカソードは、それぞれ、キャパシタ２３１の負端子と巻線２０４の他端とに接続される。抵抗２３２は、キャパシタ２３１の正端子と回路２５との間に接続される。【００３１】
引抜回路２４は、第１実施形態の回路１４と同様に、能動素子２４０（例えばＮＰＮ型トランジスタ）及び抵抗２４１から構成される。【００３２】
制御信号生成回路２５は、第１実施形態の回路１５と同様に、ツェナー・ダイオード２５０、演算増幅器２５１、抵抗２５２〜２５５及びインピーダンス素子２５６を備え、更にキャパシタ２５７及び２５８を備える。キャパシタ２５７は素子２５６と並列に接続され、キャパシタ２５８は抵抗２５３と並列に接続される。基準電圧回路としてのダイオード２５０は、キャパシタ２２１の正端子及びＤＣ電源回路２３からの電圧を安定させて基準電圧を生成する。第２実施形態の素子２５６は、インピーダンス、即ち抵抗値が周囲温度に応じて変化されるサーミスタである。周囲温度が上昇すると、素子２５６の抵抗値は減少される。周囲温度が下降すると、素子２５６の抵抗値は増大される。【００３３】
従って、第２実施形態の動作は、素子２５６の抵抗値が、使用者ではなく周囲温度によって変化される以外は、第１実施形態の動作と同様である。【００３４】
一の強化された実施形態において、スイッチング電源装置２は、比較器２６０を持つ停止回路２６を更に備える。例えば、図５に示すように、回路２６は、比較器２６０に加えて、抵抗２６１及び２６２、キャパシタ２６３及びダイオード２６４を含む。抵抗２６１は抵抗２６２と直列に接続され、抵抗２６１及び２６２の直列の組はツェナー・ダイオード２５０と並列に接続される。キャパシタ２６３は抵抗２６２と並列に接続される。比較器２６０の反転入力端子は、抵抗２６１及び２６２及びキャパシタ２６３の結合点と接続され、前記基準電圧を抵抗２６１及び２６２で分圧して得られるしきい電圧Ｖthが供給される。比較器２６０の非反転入力端子は、抵抗２５５及びインピーダンス素子２５６の結合点と接続され、周囲温度に応じて変化される電圧ＶATが供給される。また、制御信号生成回路２５において、ダイオード２５９が抵抗２５４と増幅器２５１の出力端子との間に接続され、回路２６のダイオード２６４が比較器２６０の出力端子と抵抗２５４及びダイオード２５９の結合点との間に接続される。【００３５】
図６を参照して図５の電源装置２の動作を説明する。周囲温度が低下してインピーダンス素子２５６の抵抗値が増大されると、電圧ＶATが増大される。このとき、周囲温度が規定最低温度を下回って、電圧ＶATがしきい電圧Ｖthを超えると、比較器２６０は、Ｈ信号を能動素子２４０のベース端子に印加する。その結果、素子２４０がオンされて、スイッチング素子２１０がオフされるので、ＲＣＣは自励発振を停止する。その後、周囲温度が上昇して素子２５６の抵抗値が低減されると、電圧ＶATが低減される。このとき、周囲温度が規定最低温度を超えて、電圧ＶATがしきい電圧Ｖthを下回ると、比較器２６０は、Ｈ信号からＬ信号に変える。このＬ信号は、ダイオード２６４によって素子２４０のベース端子に伝達されないので、ＲＣＣは自励発振を再開することができる。この構成では、周囲温度の変動に基づいて、ＲＣＣの自励発振を停止させることができる。【００３６】
一修正実施形態において、比較器２６０の反転入力端子は、抵抗２５５及びインピーダンス素子２５６の結合点と接続され、周囲温度に応じて変化される電圧ＶATが供給される。また、比較器２６０の非反転入力端子は、抵抗２６１及び２６２及びキャパシタ２６３の結合点と接続され、しきい電圧Ｖthが供給される。この場合、周囲温度が規定最高温度を超えたときに、ＲＣＣの自励発振を停止させることができる。【００３７】
本発明を幾つかの好ましい実施形態について記述したが、この発明の本来の精神および範囲を逸脱することなく、当業者によって様々な修正および変形が可能である。
【図１】
0004775441.tif 000002
【図２Ａ】
0004775441.tif 000003
【図２Ｂ】
0004775441.tif 000004
【図３】
0004775441.tif 000005
【図４】
0004775441.tif 000006
【図５】
0004775441.tif 000007
【図６】
0004775441.tif 000008